(57)【要約】【課題】複数の洗面ボウル２、３を並設した洗面化粧台に、左右から載置できる収納キャビネット１を設けた使い勝手のよい洗面化粧台を提供する。【解決手段】複数の洗面ボウル２、３を並設した洗面化粧台において、該洗面ボウル２と洗面ボウル３との間に位置するカウンタ４上に収納キャビネット１を設ける。好ましくは、上記収納キャビネット１は複数の載置段１２、１３を備えるとともに、左右いずれからも載置物を出し入れすることが可能とされる。【選択図】図３
2004187796.tif 000002
【特許請求の範囲】
【請求項１】
複数の洗面ボウルを並設した洗面化粧台において、該洗面ボウルと洗面ボウルとの間に位置するカウンタ上に収納キャビネットを設けたことを特徴とする洗面化粧台。
【請求項２】
上記収納キャビネットは複数の載置段を備えるとともに、左右いずれからも載置物を出し入れすることが可能である請求項１に記載の洗面化粧台。
【請求項３】
上記複数の載置段のうち最下段の底板を省略するとともに、上記収納キャビネットの手前を下方から支える連結固定部が防水構造とされた請求項２に記載の洗面化粧台。
【請求項４】
上記収納キャビネットは、下部手前が自由空間とされた片持ち構造である請求項１に記載の洗面化粧台。
【請求項５】
上記複数の洗面ボウルが２個である請求項１に記載の洗面化粧台。
【発明の詳細な説明】
【０００１】
【発明の属する技術分野】
本発明は、洗面化粧台に関する。さらに詳しくは、複数の洗面ボウルを並設した洗面化粧台に関する。
【０００２】
【従来の技術】
従来、複数の使用者が並んだ状態で洗面や化粧等ができるように、カウンタに複数の洗面ボウルを設けた洗面化粧台が知られている（例えば、特許文献１、特許文献２、特許文献３参照。）。このとき、たとえば、本願の図４に示すように、２個の洗面ボウル２、３が設けられている場合、両者の間に位置するカウンタ４が、洗面用具や、化粧品等の種々の小物を載置するスペースとして利用されている。
【０００３】
【特許文献１】
特開平７−２１３３５６号公報（第１−３頁、第１図、第３図）
【特許文献２】
特開平８−１７３３３５号公報（第１−３頁、第４図、第５図）
【特許文献３】
特開平７−１２４０６４号公報（第１−３頁、第１図、第２図）
【０００４】
【発明が解決しようとする課題】
しかしながら、鏡６の前面で、上記２個の洗面ボウル２、３の間に位置するカウンタ４は、左右いずれからも、上記洗面用具や、化粧品等の種々の小物が載置されるため、そのスペースは十分とはいえず、小物類の収納量が限られるという問題がある。そこで、本発明は上記問題を解決して、複数の洗面ボウル２、３が設けられた洗面化粧台において、収納空間を増やすとともに、左右いずれの側からも上記小物類、あるいは、シエーバーのような美容器具等、多くの載置物を載置し、出し入れすることが可能な、使い勝手のよい洗面化粧台を提供することをその課題とする。
【０００５】
【課題を解決するための手段】
本発明は、上記課題を解決するために考え出されたものであって、つぎのような技術的手段を講じている。すなわち、本発明によれば、複数の洗面ボウルを並設した洗面化粧台において、該洗面ボウルと洗面ボウルとの間に位置するカウンタ上に収納キャビネットを設けたことを特徴とする洗面化粧台が提供される。このようにすることによって、収納空間を増やし、洗面用具や、化粧品等の種々の小物あるいは、シエーバーのような美容器具等を多数収納することができる。
【０００６】
上記収納キャビネットは複数の載置段を備えるとともに、左右いずれからも載置物を出し入れすることが可能とされる。このようにすることによって、収納空間が増え、左右いずれからも載置物を出し入れすることができるため、使い勝手がよいものとなり、また、収納キャビネットが左右を仕切るとともに、目隠しの役目も果たす。
【０００７】
上記複数の載置段のうち最下段の底板を省略するとともに、上記収納キャビネットの手前を下方から支える連結固定部が防水構造とされる。このようにすることにより、収納キャビネットの部品点数を削減できるとともに、上記連結固定部を耐水塗装仕様、プラスチック製仕様等とすれば、耐水性を向上させることができる。
【０００８】
上記収納キャビネットは、下部手前が自由空間とされた片持ち構造とすることが好ましい。このようにすることによって、上記連結固定部が不要となり、カウンタがオープンとなるため、収納スペースが増えるとともに、さらに使い勝手のよい、洗面化粧台とすることができる。
【０００９】
上記複数の洗面ボウルが２個とされる。このようにすることにより、例えば、一般家庭で、朝の出勤時等に、二人の使用者が同時に本発明の洗面化粧台を使用して洗面、化粧等を迅速、かつ、快適に行なうことができる。
【００１０】
【発明の実施の形態】
以下、本発明の好ましい実施の形態について、実施例により、さらに詳細に説明する。図１に実施例１にかかる洗面化粧台の斜視図を示す。図１において、収納キャビネット１は、洗面ボウル２と洗面ボウル３との間のカウンタ４の上方に設けられる。上記収納キャビネット１の下部を構成する奥側支持脚部１１は、鏡６の下部手前のカウンタステップ部４１に載置されるとともに、収納キャビネット１の手前側は、下方から連結固定部５によって支えられ、この耐水塗装仕様の連結固定部５は、カウンタ４の手前部分に固定されている。
【００１１】
図１からよくわかるように、収納キャビネット１は、複数の載置段１２、１３および天板１４を備え、左右いずれの洗面ボウル２、３側に立っても載置物を出し入れできるように両サイドはオープンとなっている。各載置段１２、１３の左右両側には、載置物が落ちないようにガード１２１、１３１が設けられ、収納キャビネット１の最下段は、その底板を省略してカウンタ４に直接、載置物を載置できるようにされている。また、図２の側断面図によく示されているように、収納キャビネット１は、固定用ビスＢによってしっかりと壁面Ｗに固定されている。また、奥側支持脚部１１と連結固定部５との間に、タオル等を掛けるためのパイプ７を架け渡してもよい。さらに、パイプ７に替えて載置段１２の裏面にフック等の吊下げ手段を螺着し、カップ等を掛けるようにしてもよい。その他、使用者の好みに応じて、自由に設計変更可能である。
【００１２】
図３に、本発明の実施例２にかかる洗面化粧台を示す。図３からよくわかるように、実施例２においては、収納キャビネット１は、片持ち構造とされ、固定用ビスＢで壁面Ｗに固定されるとともに、その天板１４が、吊り戸棚８の底板８１に固定される。このようにすることによって、左右いずれの洗面ボウル２、３側に立っても載置物を出し入れできるとともに、実施例１における連結固定部５が不要となり、カウンタ４がオープンとなるため、収納キャビネットスペースが増えるとともに、さらに使い勝手のよい洗面化粧台とすることができる。符号Ｆは、載置段１２の裏面に螺着された、カップ等を吊下げるため吊下げ手段である。
【００１３】
【発明の効果】
以上述べたように、請求項１に記載の発明は、複数の洗面ボウル２、３を並設した洗面化粧台において、該洗面ボウル２と洗面ボウル３との間に位置するカウンタ４上に収納キャビネット１を設けたことを特徴とする洗面化粧台である。このようにすることによって、収納空間を増やし、洗面用具や、化粧品等の種々の小物あるいは、シエーバーのような美容器具等を多数収納することができる。
【００１４】
請求項２に記載の発明は、上記収納キャビネット１が複数の載置段１２、１３を備えるとともに、左右いずれからも載置物を出し入れすることが可能とされる。このようにすることによって、請求項１に記載の発明の効果に加えて、左右いずれからも載置物を出し入れすることができ、使い勝手がよいものとなり、上記収納キャビネット１が左右を仕切るとともに、目隠しの役目も果たす。
【００１５】
請求項３に記載の発明は、上記複数の載置段のうち最下段の底板を省略するとともに、上記収納キャビネット１の手前を下方から支える連結固定部５が防水構造とされる。このようにすることにより、請求項２に記載の発明の効果に加えて、このようにすることにより、収納キャビネット１の部品点数を削減できるとともに、上記連結固定部５を耐水塗装仕様、プラスチック製仕様等とすれば、耐水性を向上させることができる。
【００１６】
請求項４に記載の発明は、上記収納キャビネット１は、下部手前に自由空間を設けた片持ち構造とされる。このようにすることによって、請求項１に記載の発明の効果に加えて、カウンタ４がオープンとなるため収納スペースが増えるとともに、さらに使い勝手のよい、洗面化粧台とすることができる。
【００１７】
請求項５に記載の発明は、上記複数の洗面ボウル２、３が２個とされる。このようにすることにより、請求項１に記載の発明の効果に加えて、例えば、一般家庭で、朝の出勤時等に、二人の使用者が同時に本発明の洗面化粧台を使用し、洗面、化粧等を迅速、かつ、快適に行なうことができる。
【図面の簡単な説明】
【図１】実施例１にかかる洗面化粧台の斜視図である。
【図２】実施例１にかかる洗面化粧台の下部にパイプを架け渡した状態を示す側断面図である。
【図３】実施例２にかかる洗面化粧台の斜視図である。
【図４】公知の洗面化粧台の斜視図である。
【符号の説明】
１          収納キャビネット
１１        収納キャビネットの奥側支持脚部
１２        載置段
１２１      同上用ガード
１３        載置段
１３１      同上用ガード
１４        天板
２、３      洗面ボウル
４          カウンタ
４１        カウンタステップ部
５          連結固定部
６          鏡
７          パイプ
８          吊り戸棚
８１        同上底板
Ｂ          収納キャビネット固定用ビス
Ｗ          壁面
Ｆ          吊下げ手段
【図１】
2004187796.tif 000003
【図２】
2004187796.tif 000004
【図３】
2004187796.tif 000005
【図４】
2004187796.tif 000006